【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
入力された画像データの第１の記録媒体への記録を制御する第１の記録制御手段と、
ユーザにより指定された人物である検出対象を前記画像データから検出する検出手段と、
前記検出対象の検出結果に基づいて、前記画像データから抽出する範囲である抽出範囲を設定する設定手段と、
前記画像データの前記第１の記録媒体への記録と並行して、前記画像データの前記抽出範囲の第２の記録媒体への記録を制御する第２の記録制御手段と
を含む記録装置。
【請求項２】
前記検出手段は、画像認識の手法を用いて、前記画像データから前記検出対象の画像を検出する
請求項１に記載の記録装置。
【請求項３】
過去に前記検出対象に指定されたことのある人物を一覧表示した画面を表示手段に表示させるように前記表示手段の表示を制御する表示制御手段を
さらに含む請求項１に記載の記録装置。
【請求項４】
前記第１の記録制御手段は、前記画像データとともに入力された音声データの前記第１の記録媒体への記録をさらに制御し、
前記検出手段は、音声認識の手法を用いて、前記音声データから前記検出対象の声を検出し、
前記設定手段は、前記検出対象の検出結果に基づいて、前記音声データから抽出する範囲である第２の抽出範囲を設定し、
前記第２の記録制御手段は、前記音声データの前記第１の記録媒体への記録と並行して、前記音声データの前記第２の抽出範囲の第２の記録媒体への記録を制御する
請求項１に記載の記録装置。
【請求項５】
前記設定手段は、前記検出対象が検出された場面を前記抽出範囲に設定する
請求項１に記載の記録装置。
【請求項６】
前記設定手段は、ユーザからの指令に基づいて、前記検出対象が検出された場面、または、前記検出対象が検出されなかった場面のいずれかを前記抽出範囲に設定する
請求項１に記載の記録装置。
【請求項７】
前記設定手段は、複数の前記検出対象が指定されている場合、ユーザからの指令に基づいて、前記検出対象のうち少なくとも１人が検出された場面、または、全ての前記検出対象が検出された場面のみのいずれかを前記抽出範囲に設定する
請求項１に記載の記録装置。
【請求項８】
前記設定手段は、前記抽出範囲の開始時刻および終了時刻を示す情報を前記第２の記録制御手段に供給し、
前記第２の記録制御手段は、前記開始時刻および前記終了時刻に基づいて、前記画像データの前記抽出範囲を前記第２の記録媒体に記録するように制御する
請求項１に記載の記録装置。
【請求項９】
前記抽出範囲を抽出する条件を示すデータ、前記検出対象に関するデータ、または、前記抽出範囲を示すデータを含むオプションデータを生成する生成手段を
さらに含み、
前記第２の記録制御手段は、前記オプションデータを前記画像データの前記抽出範囲に関連づけて、前記第２の記録媒体に記録するように制御する
請求項１に記載の記録装置。
【請求項１０】
入力された画像データの第１の記録媒体への記録を制御する第１の記録制御ステップと、
ユーザにより指定された人物である検出対象を前記画像データから検出する検出ステップと、
前記検出対象の検出結果に基づいて、前記画像データから抽出する範囲である抽出範囲を設定する設定ステップと、
前記画像データの前記第１の記録媒体への記録と並行して、前記画像データの前記抽出範囲の第２の記録媒体への記録を制御する第２の記録制御ステップと
を含む記録方法。
【請求項１１】
入力された画像データの第１の記録媒体への記録を制御する第１の記録制御ステップと、
ユーザにより指定された人物である検出対象を前記画像データから検出する検出ステップと、
前記検出対象の検出結果に基づいて、前記画像データから抽出する範囲である抽出範囲を設定する設定ステップと、
前記画像データの前記第１の記録媒体への記録と並行して、前記画像データの前記抽出範囲の第２の記録媒体への記録を制御する第２の記録制御ステップと
をコンピュータに実行させるプログラム。
【請求項１２】
請求項１１に記載のプログラムが記録されている記録媒体。
【請求項１３】
撮像した画像の画像データを出力する撮像手段と、
前記画像データの第１の記録媒体への記録を制御する第１の記録制御手段と、
ユーザにより指定された人物である検出対象を前記画像データから検出する検出手段と、
前記検出対象の検出結果に基づいて、前記画像データから抽出する範囲である抽出範囲を設定する設定手段と、
前記画像データの前記第１の記録媒体への記録と並行して、前記画像データの前記抽出範囲の第２の記録媒体への記録を制御する第２の記録制御手段と
を含む撮像装置。
【手続補正２】
【補正対象書類名】明細書
【補正対象項目名】０００６
【補正方法】変更
【補正の内容】
【０００６】
本発明の第１の側面は、入力された画像データの第１の記録媒体への記録を制御する第１の記録制御手段（ステップ）と、ユーザにより指定された人物である検出対象を画像データから検出する検出手段（ステップ）と、検出対象の検出結果に基づいて、画像データから抽出する範囲である抽出範囲を設定する設定手段（ステップ）と、画像データの第１の記録媒体への記録と並行して、画像データの抽出範囲の第２の記録媒体への記録を制御する第２の記録制御手段（ステップ）とを含む記録装置（記録方法、プログラム、または、記録媒体）である。
【手続補正３】
【補正対象書類名】明細書
【補正対象項目名】０００８
【補正方法】変更
【補正の内容】
【０００８】
過去に検出対象に指定されたことのある人物を一覧表示した画面を表示手段に表示させるように表示手段の表示を制御する表示制御手段をさらに設けることができる。
【手続補正４】
【補正対象書類名】明細書
【補正対象項目名】０００９
【補正方法】変更
【補正の内容】
【０００９】
前記第１の記録制御手段には、画像データとともに入力された音声データの第１の記録媒体への記録をさらに制御させ、前記検出手段には、音声認識の手法を用いて、音声データから検出対象の声を検出させ、前記設定手段には、検出対象の検出結果に基づいて、音声データから抽出する範囲である第２の抽出範囲を設定させ、前記第２の記録制御手段は、音声データの第１の記録媒体への記録と並行して、音声データの第２の抽出範囲の第２の記録媒体への記録を制御させるようにすることができる。
【手続補正５】
【補正対象書類名】明細書
【補正対象項目名】００１３
【補正方法】変更
【補正の内容】
【００１３】
前記設定手段には、抽出範囲の開始時刻および終了時刻を示す情報を第２の記録制御手段に供給させ、前記第２の記録制御手段には、開始時刻および終了時刻に基づいて、画像データの抽出範囲を第２の記録媒体に記録するように制御させるようにすることができる。
【手続補正６】
【補正対象書類名】明細書
【補正対象項目名】００１４
【補正方法】変更
【補正の内容】
【００１４】
抽出範囲を抽出する条件を示すデータ、検出対象に関するデータ、または、抽出範囲を示すデータを含むオプションデータを生成する生成手段をさらに設け、前記第２の記録制御手段には、オプションデータを画像データの抽出範囲に関連づけて、第２の記録媒体に記録するように制御させるようにすることができる。
【手続補正７】
【補正対象書類名】明細書
【補正対象項目名】００１５
【補正方法】変更
【補正の内容】
【００１５】
本発明の第２の側面は、撮像した画像の画像データを出力する撮像手段と、画像データの第１の記録媒体への記録を制御する第１の記録制御手段と、ユーザにより指定された人物である検出対象を画像データから検出する検出手段と、検出対象の検出結果に基づいて、画像データから抽出する範囲である抽出範囲を設定する設定手段と、画像データの第１の記録媒体への記録と並行して、画像データの抽出範囲の第２の記録媒体への記録を制御する第２の記録制御手段とを含む撮像装置である。
【手続補正８】
【補正対象書類名】明細書
【補正対象項目名】００１６
【補正方法】変更
【補正の内容】
【００１６】
本発明の第１の側面においては、入力された画像データの第１の記録媒体への記録が制御され、ユーザにより指定された人物である検出対象が画像データから検出され、検出対象の検出結果に基づいて、画像データから抽出する範囲である抽出範囲が設定され、画像データの第１の記録媒体への記録と並行して、画像データの抽出範囲の第２の記録媒体への記録が制御される。
【手続補正９】
【補正対象書類名】明細書
【補正対象項目名】００１７
【補正方法】変更
【補正の内容】
【００１７】
本発明の第２の側面においては、撮像した画像の画像データが出力され、画像データの第１の記録媒体への記録が制御され、ユーザにより指定された人物である検出対象が画像データから検出され、検出対象の検出結果に基づいて、画像データから抽出する範囲である抽出範囲が設定され、画像データの第１の記録媒体への記録と並行して、画像データの抽出範囲の第２の記録媒体への記録が制御される。
【手続補正１０】
【補正対象書類名】明細書
【補正対象項目名】００２０
【補正方法】変更
【補正の内容】
【００２０】
本発明の第１の側面の記録装置（例えば、図１のデータ記録部１３）は、入力された画像データの第１の記録媒体（例えば、図１の記録媒体１４）への記録を制御する第１の記録制御手段（例えば、図２のオリジナルデータ記録制御部１０３）と、ユーザにより指定された人物である検出対象（例えば、ターゲット）を前記画像データから検出する検出手段（例えば、図３のターゲット検出部１２１）と、前記検出対象の検出結果に基づいて、前記画像データから抽出する範囲である抽出範囲を設定する設定手段（例えば、図３の抽出範囲設定部１２２）と、前記画像データの前記第１の記録媒体への記録と並行して、前記画像データの前記抽出範囲の第２の記録媒体（例えば、図１の記録媒体１５）への記録を制御する第２の記録制御手段（例えば、図３の抽出データ記録制御部１２４）とを含む。
【手続補正１１】
【補正対象書類名】明細書
【補正対象項目名】００２１
【補正方法】変更
【補正の内容】
【００２１】
この記録装置においては、予めユーザにより登録されている人物を一覧表示した表示手段（例えば、図１の表示部３５）の表示を制御する表示制御手段（例えば、図２のユーザ設定制御部１０１）をさらに設け、前記検出手段は、前記一覧に表示された前記人物の中からユーザにより指定された前記検出対象を検出するようにすることができる。
【手続補正１２】
【補正対象書類名】明細書
【補正対象項目名】００２２
【補正方法】変更
【補正の内容】
【００２２】
この記録装置においては、前記抽出範囲を抽出する条件を示すデータ、前記検出対象に関するデータ、または、前記抽出範囲を示すデータを含むオプションデータを生成する生成手段（例えば、図３のオプションデータ生成部１２３）をさらに設け、前記第２の記録制御手段は、前記オプションデータを前記画像データの前記抽出範囲に関連づけて、前記第２の記録媒体に記録するように制御するようにすることができる。
【手続補正１３】
【補正対象書類名】明細書
【補正対象項目名】００２３
【補正方法】変更
【補正の内容】
【００２３】
本発明の第１の側面の記録方法またはプログラムは、入力された画像データの第１の記録媒体（例えば、図１の記録媒体１４）への記録を制御する第１の記録制御ステップ（例えば、図４のステップＳ９、Ｓ３０、図５のステップＳ２３、または、Ｓ２５）と、ユーザにより指定された人物である検出対象を前記画像データから検出する検出ステップ（例えば、図４のステップＳ１１）と、前記検出対象の検出結果に基づいて、前記画像データから抽出する範囲である抽出範囲を設定する設定ステップ（例えば、図４のステップＳ１３または図５のステップＳ１９）と、前記画像データの前記第１の記録媒体への記録と並行して、前記画像データの前記抽出範囲を第２の記録媒体（例えば、図１の記録媒体１５）への記録を制御する第２の記録制御ステップ（例えば、図５のステップＳ１５、Ｓ２１、または、Ｓ２８）とを含む。
【手続補正１４】
【補正対象書類名】明細書
【補正対象項目名】００２４
【補正方法】変更
【補正の内容】
【００２４】
本発明の第２の側面の撮像装置（例えば、図１の記録システム１）は、撮像した画像の画像データを出力する撮像手段（例えば、図１の撮像部１１）と、前記画像データの第１の記録媒体（例えば、図１の記録媒体１４）への記録を制御する第１の記録制御手段（例えば、図２のオリジナルデータ記録制御部１０３）と、ユーザにより指定された人物である検出対象（例えば、ターゲット）を前記画像データから検出する検出手段（例えば、図３のターゲット検出部１２１）と、前記検出対象の検出結果に基づいて、前記画像データから抽出する範囲である抽出範囲を設定する設定手段（例えば、図３の抽出範囲設定部１２２）と、前記画像データの前記第１の記録媒体への記録と並行して、前記画像データの前記抽出範囲の第２の記録媒体（例えば、図１の記録媒体１５）への記録を制御する第２の記録制御手段（例えば、図３の抽出データ記録制御部１２４）とを含む。